(57)【要約】      （修正有）【課題】プリンターとＵＳＢハブ装置等の接続装置を一体化させた状態で設置できるプリンターユニットを提供する。【解決手段】プリンターユニットのＵＳＢハブ装置３は、プリンター２のプリンターケース１０のケース底面１６に対向する対向面３６に装置側係止部４５を備えている。装置側係止部４５はプリンターケース１０の側に突出する突出部分４５ｂと、突出部分４５ｂの先端から連続して当該突出部分４５ｂの突出方向と交差する方向に延びる係止部分４５ｃを備える。ＵＳＢハブ装置３がケース底面１６に装着される際に、突出部分４５ｂと係止部分４５ｃはケース底面１６に形成されたスリット３１に挿入され、係止部分４５ｃがプリンターケース１０におけるスリット３１の開口縁部分１０ａにプリンターケース１０の内側から当接する。これによりＵＳＢハブ装置３はプリンター２に係止される。【選択図】図６
2015020376.tif 000002
【特許請求の範囲】
【請求項１】
印刷を行う印刷部、及び前記印刷部をカバーするプリンターケースを有するプリンターと、
前記プリンターケースに対向する対向面を有する機器ケース、前記対向面に配設されて前記プリンターケースに係止される係止部を有し、前記プリンターケースに着脱する接続装置と、
を備えることを特徴とするプリンターユニット。
【請求項２】
前記プリンターケースは、スリットが設けられ、
前記係止部は、前記対向面から突出する突出部分と、前記突出部分の突出方向と交差する方向に延びる係止部分と、を備え、
前記突出部分及び前記係止部分が前記スリットに挿入され、前記係止部分が前記プリンターケースに係止される請求項１に記載のプリンターユニット。
【請求項３】
前記スリットは、気流を通過させる通気口である請求項２に記載のプリンターユニット。
【請求項４】
前記機器ケースは、前記対向面に接続されて前記プリンターから離れる方向に傾斜する傾斜面を有し、
前記突出部分は、前記対向面の前記傾斜面の側から突出する請求項２または３に記載のるプリンターユニット。
【請求項５】
ブラケットを有し、
前記機器ケースは、前記対向面と交差する方向に貫通する貫通穴を有するフランジ部を備え、
前記ブラケットは、前記プリンターケースにネジ止めされる固定部、前記フランジ部に前記プリンターの側から当接する第１当接部、前記フランジ部に前記プリンターとは反対側から当接する第２当接部、および前記貫通穴に挿入される爪部を有する請求項４に記載のプリンターユニット。
【請求項６】
前記プリンターケースは、ゴム部材が取り付けられ、
前記対向面は、前記ゴム部材と対向する位置に凹部が設けられる請求項１ないし５のいずれか１項に記載のプリンターユニット。
【請求項７】
前記接続装置が前記プリンターに装着された状態で、前記対向面の前記凹部と異なる対向面部分と前記プリンターケースとは当接し、
前記ゴム部材は前記プリンターケースの前記凹部と当接して弾性変形する請求項６に記載のプリンターユニット。
【請求項８】
プリンターケースに対向する対向面を有する機器ケースと、
前記対向面に配設されて前記プリンターケースに係止される係止部と、を有し、
前記プリンターケースに着脱することを特徴とする接続装置。
【発明の詳細な説明】
【技術分野】
【０００１】
本発明は、プリンターと、このプリンターに着脱可能に装着された接続装置を有するプリンターユニットに関する。
【背景技術】
【０００２】
店舗のレジカウンターなどに設置されているプリンターにクレジットカードを読み取る読取端末やテンキー等の入力装置などの周辺機器を接続する際には、プリンターのＵＳＢポートにＵＳＢハブ装置を接続し、ＵＳＢハブ装置が搭載する複数のＵＳＢポートに各周辺機器を接続する。かかる場合に用いられるＵＳＢハブ装置は特許文献１に記載されている。同文献のＵＳＢハブ装置は直方体形状のケースを備えている。
【先行技術文献】
【特許文献】
【０００３】
【特許文献１】特開２０００−２３１９６９号公報
【発明の概要】
【発明が解決しようとする課題】
【０００４】
レジカウンターなどの狭いスペースにプリンターとＵＳＢハブ装置などの接続装置と複数台の周辺機器を設置する際には、プリンターとＵＳＢハブ装置が離間していると、ＵＳＢハブ装置を設置するスペースによって、顧客に使用させる読取装置や入力装置を設置するスペースを確保することが困難になる場合がある。
【０００５】
本発明は、このような点に鑑みて、プリンターとＵＳＢハブ装置等の接続装置を一体化させた状態で設置できるプリンターユニットを提供することにある。また、このようなプリンターユニットの接続装置を提供することにある。
【課題を解決するための手段】
【０００６】
上記課題を解決するために、本発明のプリンターユニットは、印刷を行う印刷部、及び前記印刷部をカバーするプリンターケースを有するプリンターと、前記プリンターケースに対向する対向面を有する機器ケース、前記対向面に配設されて前記プリンターケースに係止される係止部を有し、前記プリンターケースに着脱する接続装置と、を備えることを特徴とする。
【０００７】
本発明によれば、接続装置は、その係止部がプリンターケースに係止された状態でプリンターに装着される。これにより、プリンターと接続装置を一体化することができるので、これらが離間している場合と比較して、設置スペースを抑制できる。
【０００８】
本発明において、接続装置の係止部をプリンターケースに係止させるためには、前記プリンターケースは、スリットが設けられ、前記係止部は、前記対向面から突出する突出部分と、前記突出部分の突出方向と交差する方向に延びる係止部分と、を備え、前記突出部分及び前記係止部分が前記スリットに挿入され、前記係止部分が前記プリンターケースに係止されることが望ましい。
【０００９】
本発明において、前記スリットは、気流を通過させる通気口であることが望ましい。すなわち、プリンターケースに予め設けられている複数の通気口のうちの一つの通気口に係止部を係止させれば、接続装置を装着するためにプリンターケースに新たに係止部を設ける必要がない。
【００１０】
本発明において、前記機器ケースは、前記対向面に接続されて前記プリンターから離れる方向に傾斜する傾斜面を有し、前記突出部分は、前記対向面における前記傾斜面の側から突出することが望ましい。このようにすれば、接続装置の係止部をプリンターケースのスリットに係止させる際に、プリンターケースの端面に対して接続装置の対向面を傾斜させた状態としながら係止部の突出部分および係止部分をスリットに挿入し、しかる後に、プリンターケースの端面と接続装置の対向面を平行にしてこれらを密着させ、これにより係止部をプリンターケースに係止させることができる。ここで、機器ケースには傾斜面が設けられているので、プリンターケースの端面に対して接続装置の対向面を傾斜させた状態としながらスリットに係止部を挿入する際に、プリンターケースと機器ケースが干渉することを回避できる。
【００１１】
この場合において、ブラケットを有し、前記機器ケースは、前記対向面と交差する方向に貫通する貫通穴を有するフランジ部を備え、前記ブラケットは、前記プリンターケースにネジ止めされる固定部、前記フランジ部に前記プリンターの側から当接する第１当接部、前記フランジ部に前記プリンターとは反対側から当接する第２当接部、および前記貫通穴に挿入される爪部を有することが望ましい。このようにすれば、ブラケットを用いた固定と、係止部とプリンター側係止部の係止によって、プリンターに接続装置を確実に固定できる。
【００１２】
本発明において、前記プリンターケースは、ゴム部材が取り付けられ、前記対向面は、前記ゴム部材と対向する位置に凹部が設けられることが望ましい。すなわち、プリンターケースに脚部となるゴム部材が取り付けられている場合には、機器ケースの対向面に凹部を設けることにより、このゴム部材を収納できる。
【００１３】
この場合において、前記接続装置が前記プリンターに装着された状態で、前記対向面の前記凹部と異なる対向面部分と前記プリンターケースとは当接し、前記ゴム部材は前記プリンターケースの前記凹部と当接して弾性変形することが望ましい。このようにすれば、圧縮されたゴムの弾性復帰力によってプリンターへの接続装置の固定がより確実なものとなる。
【００１４】
次に、本発明は、プリンターケースに対向する対向面を有する機器ケースと、前記対向面に配設されて前記プリンターケースに係止される係止部と、を有し、前記プリンターケースに着脱することを特徴とする接続装置とすることができる。
【００１５】
本発明の接続装置は、プリンターに装着することができるので、プリンターおよび接続装置から構成されるプリンターユニットの設置スペースを抑制できる。
【図面の簡単な説明】
【００１６】
【図１】本発明のプリンターユニットの外観斜視図である。
【図２】コネクターカバーを取り外したプリンターユニットの斜視図である。
【図３】プリンターユニットの分解斜視図である。
【図４】プリンターを斜め下方から見た場合の斜視図である。
【図５】ＵＳＢハブ装置の斜視図である。
【図６】プリンターへのＵＳＢハブ装置の装着動作の説明図である。
【図７】ＵＳＢハブ装置がプリンターに装着された状態の背面図である。
【図８】コネクターカバーを構成するカバー本体および蓋部材の斜視図である。
【図９】蓋部材をカバー本体に装着する装着動作の説明図である。
【図１０】プリンターユニットの概略ブロック図である。
【発明を実施するための形態】
【００１７】
以下に、図面を参照して、本発明を適用した実施の形態であるプリンターユニットを説明する。
【００１８】
（プリンターユニット）
図１（ａ）はプリンターユニットを前方の斜め上方から見た場合の斜視図であり、図１（ｂ）はプリンターユニットを前方の斜め下方から見た場合の斜視図である。図２はコネクターカバーを取り外したプリンターユニットを後方の斜め上方から見た場合の斜視図である。図３はプリンターユニットの分解斜視図である。
【００１９】
本例のプリンターユニットは、店舗のレジカウンターに設置されて会計処理を行う際などに用いられる。プリンターユニット１はロール紙プリンター（以下、プリンターという）２と、このプリンター２の底に下方から着脱可能に取り付けられたＵＳＢハブ装置（接続装置）３と、プリンター２およびＵＳＢハブ装置３に後方から着脱可能に取り付けられたコネクターカバー４を備えている。図２に示すように、ＵＳＢハブ装置３はＵＳＢケーブル５を介してプリンター２に接続されている。また、プリンター２とＵＳＢハブ装置３は電源ケーブル６を介して接続されている。ＵＳＢハブ装置３にはクレジットカードの決済処理を行う処理端末（不図示）、テンキーやバーコードリーダー等の入力装置（不図示）等の周辺機器が接続されている。処理端末および入力装置はＵＳＢハブ装置３を介してプリンター２と通信可能となっている。
【００２０】
また、図３に示すように、プリンターユニット１は、ＵＳＢハブ装置３をプリンター２に固定する係止金具７とブラケット８を備えている。なお、以下の図面において互いに直交する３方向は、ユニット幅方向Ｘ、ユニット前後方向Ｙおよびユニット上下方向（鉛直方向）Ｚである。
【００２１】
（プリンター）
図４（ａ）はプリンター２を前方の斜め下方から見た場合の斜視図であり、図４（ｂ）はプリンター２を後方の斜め下方から見た場合の斜視図である。プリンター２は、プリンターケース１０の内部に収納したロール紙から繰り出される長尺状の記録紙にレシートなどを印刷する。
【００２２】
プリンターケース１０は樹脂製である。プリンターケース１０は、図３に示すように、ユニット前後方向Ｙの前方に向かって下方に傾斜しているケース上面１１と、ケース上面１１の前端の縁から下方に向かって後方に傾斜した後に下方に向かって延びているケース前面１２と、ケース上面１１のユニット幅方向Ｘの左右の縁から下方に向かって延びた後に、内側に窪む段部を介してさらに下方に向かって延びている左右のケース側面１３、１４と、ケース上面１１の後側の縁から後側に向かって下方に湾曲した後に下方に向かって前方に傾斜して延びているケース背面１５と、プリンターケース１０の鉛直方向下方の下面であるケース底面１６を備えている。左右のケース側面１３、１４は、上端縁がケース上面１１のユニット幅方向Ｘの左右の縁に連続しており、前端縁がケース前面１２のユニット幅方向Ｘの左右の縁に連続している。また、左右のケース側面１３、１４は、後端縁がケース背面１５のユニット幅方向Ｘの左右の縁に連続しており、下端縁がケース底面１６のユニット幅方向Ｘの左右の縁に連続している。ケース底面１６をユニット上下方向Ｚから見た輪郭形状は、図４に示すように、矩形である。
【００２３】
プリンターケース１０のケース上面１１の前側部分には所定幅の矩形の排紙口１９が形成されている。プリンターケース１０のケース前面１２には、電源スイッチ２０が設けられている。ここで、図４（ａ）に示すように、ケース前面１２の下端部分には、通気口２１が設けられている。また、図４（ｂ）に示すように、一方のケース側面１３の後方の下側部分には通気口２２が形成されている。
【００２４】
図４（ｂ）に示すように、ケース背面１５の下方部分には、ユニット幅方向Ｘの中央部分が下方から矩形に切り欠かれたケース切欠部２３が形成されている。ケース切欠部２３からは装置フレームがプリンターケース１０の外側に露出している。装置フレームの露出部分はコネクター搭載部２４となっている。コネクター搭載部２４には、直流の電源電力の供給を受ける電源コネクター２４ａ、釣り銭や売上金を格納するドロワー装置（銭箱装置）を接続するドロワーキックコネクター２４ｂ、ＲＳ−２３２シリアルインターフェイスコネクター２４ｃ、ＵＳＢ機器を接続する複数のＵＳＢダウンストリームポート２４ｄ、ディスプレイを接続するＶＧＡコネクター２４ｅ、プリンター２をネットワークに接続するネットワークコネクター２４ｆが搭載されている。各コネクター２４ａ〜２４ｆは、各コネクター２４ａ〜２４ｆに接続される各ケーブルの着脱方向を後方に向けている。ユニット幅方向Ｘで各コネクター２４ａ〜２４ｆを間に挟んで対向する位置からは一対のプリンター側フック２６が後方に向かって突出している。一対のプリンター側フック２６はコネクターカバー４がプリンター２に装着される際にコネクターカバー４に設けられているコネクターカバー係止部６４に係止される（図３参照）。
【００２５】
コネクター搭載部２４の上方からは、ディスプレイ固定ステイ２７が後方に突出している。ディスプレイ固定ステイ２７のユニット幅方向Ｘの中央部分には貫通穴２８が設けられている（図２参照）。
【００２６】
ケース背面１５のディスプレイ固定ステイ２７の上側には、ユニット幅方向Ｘで離間する２箇所にカバー係止部２９と位置決め凹部３０がそれぞれ設けられている（図２参照）。カバー係止部２９には、コネクターカバー４がプリンター２に装着される際にコネクターカバー４のカバーフック６２が係止される（図３参照）。また、位置決め凹部３０は、コネクターカバー４がプリンター２に装着される際にコネクターカバー４の位置決め突起６３が挿入される（図３参照）。
【００２７】
ケース底面１６の前端部分であって、ケース底面１６とケース前面１２の境界部分には、図４（ａ）に示すように、ユニット幅方向Ｘに延びるスリット３１が設けられている。スリット３１はプリンター２が単体で使用される場合に通気口として機能する。プリンター２がプリンターユニット１として用いられる場合には、ＵＳＢハブ装置３を装着する係止部として機能する。また、図４（ｂ）に示すように、ケース底面１６において、一方のケース側面１４に設けられた通気口２２の下方位置には、通気口３２が設けられている。ケース底面１６の四隅には、ケース底面１６の外周縁から所定寸法、内周側に後退した位置に矩形のシート状のゴム部材３３が貼り付けられている。ゴム部材３３は、プリンター２が単体で使用される場合に設置面と接触するプリンター２の脚部となる。
【００２８】
（ＵＳＢハブ装置）
ＵＳＢハブ装置３は、全体として直方体形状をした装置ケース（機器ケース）３５を備えている。装置ケース３５を上下方向から見た輪郭形状は矩形であり、プリンター２のケース底面１６を下方向から見た輪郭形状と対応する形状および大きさである。
【００２９】
装置ケース３５は、樹脂製であり、図５（ａ）に示すように、プリンター２のケース底面１６と対向する対向面３６と、対向面３６のユニット前後方向Ｙの前端縁３６ａから連続して前方に向かって下方に傾斜する傾斜面３７と、傾斜面３７の傾斜方向の先端縁３７ａに連続して下方に延びる装置ケース前面３８を備えている。また、装置ケース３５は、対向面３６のユニット幅方向Ｘの左右の縁から下方に向かって延びる左右の装置ケース側面３９、４０と、対向面３６の後端縁から連続して下方に向かって延びる装置ケース背面４１と、ＵＳＢハブ装置３の下面である装置ケース底面４２を備えている。左右の装置ケース側面３９、４０は、上端縁が対向面３６のユニット幅方向Ｘの左右の縁に連続しており、前端縁が傾斜面３７および装置ケース前面３８のユニット幅方向Ｘの左右の縁に連続しており、その後端縁が装置ケース背面４１のユニット幅方向Ｘの左右の縁に連続しており、その下端縁が装置ケース底面４２のユニット幅方向Ｘの左右の縁に連続している。ＵＳＢハブ装置３がプリンター２のケース底面１６に装着された状態では、図２に示すように、プリンター２のケース側面１３、１４の下方部分とＵＳＢハブ装置３の左右の装置ケース側面３９、４０はそれぞれ同一平面上に位置する。
【００３０】
ＵＳＢハブ装置３は、対向面３６の前端縁部分にケース底面１６のスリット３１に係止される装置係止部（係止部）４５を備えている。装置係止部４５は、図３に示すように、一定幅の金属製の板部材をクランク状に折り曲げることにより形成された係止金具７であり、対向面３６の前端縁部分に固定されている。図５に示すように、装置係止部４５は、対向面３６の前端縁３６ａに沿って固定された固定部分４５ａと、固定部分４５ａのユニット前後方向Ｙの前端縁から上方に向かって突出する突出部分４５ｂと、突出部分４５ｂの先端から連続して前方に延びる係止部分４５ｃを備えている。突出部分４５ｂは、対向面３６の前端縁３６ａに沿ってユニット幅方向Ｘに延びており、この前端縁３６ａから上方に突出している。
【００３１】
対向面３６には凹部４６が形成されている。凹部４６は対向面３６の中央部分に形成された矩形の第１凹部部分４６ａと、第１凹部部分４６ａの後側の側方部分から一方の装置ケース側面４０に拡張されて設けられた矩形の第２凹部部分４６ｂを備えている。第１凹部部分４６ａには、ＵＳＢハブ装置３がプリンター２に装着されたときに、ケース底面１６のゴム部材３３が内側に挿入される。第２凹部部分４６ｂは、ＵＳＢハブ装置３がプリンター２に装着されたときに、ケース底面１６の通気口３２が対向する。対向面３６の後端縁部分には、ユニット幅方向Ｘで離間する２箇所に後方から切り欠かれて凹部４６に連通する切欠部４７が設けられている。
【００３２】
装置ケース背面４１の上端部分のユニット幅方向Ｘの中央部分には、後方に突出するフランジ部４８が設けられている。フランジ部４８は、対向面３６において２つの切欠部の間に位置している対向面部分から連続して後方に突出しており、上下方向に貫通する２つの貫通穴４９を備えている。２つの貫通穴４９はフランジ部４８におけるユニット幅方向Ｘの両端部分に形成されている。
【００３３】
装置ケース背面４１の中央部分はＵＳＢハブ装置３のコネクター搭載部５１となっている。コネクター搭載部５１には、直流の電源電力の供給を受ける電源コネクター５１ａと、ＵＳＢ機器を接続する複数のＵＳＢダウンストリームポート５１ｂが設けられている。ＵＳＢハブ装置３の電源コネクター５１ａは、プリンター２の電源コネクター２４ａと同一の構成を備えており同一電圧の電源電力の供給を受けるものである。各ＵＳＢダウンストリームポート５１ｂは当該ＵＳＢダウンストリームポート５１ｂに接続される周辺機器に１２Ｖの直流の電力を供給可能である。また、装置ケース背面４１の上側部分の中央部分、すなわち、フランジ部４８の下側部分からは、ＵＳＢケーブル５と電源ケーブル６が引き出されている。
【００３４】
ここで、図１（ｂ）に示すように、装置ケース底面４２の四隅には、装置ケース底面４２の外周縁から所定寸法、内周側に後退した位置に矩形のシート状のゴム部材５３が貼り付けられている。ゴム部材５３は、プリンターユニット１を設置する際に設置面と接触するＵＳＢハブ装置３の脚部となる。
【００３５】
（ブラケット）
ブラケット８は、図３に示すように、ケース底面１６にネジにより固定される板状の固定部８ａを備えている。また、ブラケット８は、固定部８ａの前端縁から連続して下方に延びる板状の第１当接部８ｂ、第１当接部８ｂの下端縁から連続して前方に延びる板状の第２当接部８ｃ、および、第２当接部８ｃのユニット幅方向Ｘの両端部分から上方に延びる爪部８ｄを備えている。
【００３６】
（ＵＳＢハブ装置のプリンターへの装着）
図６はＵＳＢハブ装置３のプリンター２への装着動作の説明図である。図６（ａ）はＵＳＢハブ装置３の装置係止部４５をプリンター２のケース底面１６のスリット３１へ挿入した状態を示す概略断面図であり、図６（ｂ）は図６（ａ）の状態における装置係止部４５およびスリット３１の周辺部分の部分拡大図である。図７はＵＳＢハブ装置３をプリンター２に装着した状態を後方の斜め下方から見た場合の斜視図である。
【００３７】
ＵＳＢハブ装置３をプリンター２へ装着する際には、まず、プリンター２のコネクター搭載部２４とＵＳＢハブ装置３のコネクター搭載部５１を、いずれも同じ方向（ユニット前後方向Ｙの後方）に向けた姿勢とする。次に、ＵＳＢハブ装置３に設けられた装置係止部４５の突出部分４５ｂと係止部分４５ｃをケース底面１６の前端部分に設けられたスリット３１に挿入する。
【００３８】
この際に、装置係止部４５の係止部分４５ｃは突出部分４５ｂの先端から前方に曲っているので、図６（ａ）に示すように、プリンター２のケース底面１６に対してＵＳＢハブ装置３の対向面３６を傾斜させた状態としながら突出部分４５ｂおよび係止部分４５ｃをプリンターケース１０のスリット３１に挿入する。これにより、突出部分４５ｂおよび係止部分４５ｃをスリット３１に挿入することができる。ここで、機器ケースには対向面３６の前方に傾斜面３７が設けられているので、ケース底面１６に対して対向面３６を傾斜させた状態としたときに、プリンターケース１０と機器ケースが干渉してしまうことがない。
【００３９】
次に、プリンター２のケース底面１６とＵＳＢハブ装置３の対向面３６を平行として、これらを密着させる。これにより、図６（ｂ）に点線で示すように、装置係止部４５は、その突出部分４５ｂがスリット３１に挿入され、係止部分４５ｃがプリンターケース１０におけるスリット３１の開口縁部分１０ａにプリンターケース１０の内側から当接した状態となる。すなわち、装置係止部４５がプリンターケース１０に係止した状態となる。
【００４０】
その後、ブラケット８を用いて、ＵＳＢハブ装置３の後端部分をプリンター２に固定する。すなわち、ブラケット８の各爪部８ｄをフランジ部４８の各貫通穴４９に挿入し、図７に示すように、第２当接部８ｃを下方からフランジ部４８に当接させ、第１当接部８ｂを後方から当接させ、固定部８ａをネジによってケース底面１６に固定する。この結果、装置係止部４５とスリット３１の係止とブラケット８を用いた固定により、ＵＳＢハブ装置３はプリンター２に固定される。
【００４１】
ここで、ブラケット８を用いて、ＵＳＢハブ装置３の後端部分をプリンター２に固定する際に、プリンター２の脚部となっているゴム部材３３がＵＳＢハブ装置３の凹部４６の内側に挿入され、ゴム部材３３がプリンターケース１０と凹部４６の底面４６ｃとの間で弾性変形して圧縮される。従って、圧縮されたゴム部材３３の弾性復帰力によってプリンター２へのＵＳＢハブ装置３の固定がより確実なものとなる。
【００４２】
しかる後に、ＵＳＢハブ装置３から引き出されている電源ケーブル６をプリンター２の電源コネクター２４ａに接続し、ＵＳＢケーブル５をプリンター２のＵＳＢダウンストリームポート２４ｄに接続する。そして、ＵＳＢハブ装置３の電源コネクター５１ａにＡ／Ｃアダプターを接続し、Ａ／Ｃアダプターを店舗に設けられている商用の交流電力のアウトレットに接続する。また、クレジットカードの処理端末やテンキーやバーコードリーダーなどの入力装置などを、ＵＳＢケーブルを介して、ＵＳＢハブ装置３のＵＳＢダウンストリームポート５１ｂに接続する。
【００４３】
（コネクターカバー）
コネクターカバー４は樹脂製である。図３に示すように、コネクターカバー４はユニット幅方向Ｘでプリンター２のコネクター搭載部２４およびＵＳＢハブ装置３のコネクター搭載部５１を間に挟んで対向する一対の側板部５５と、ユニット幅方向Ｘに延びて一対の側板部５５に架け渡された連結板部５７を備えている。一対の側板部５５はプリンター２の各コネクター２４ａ〜２４ｆおよびＵＳＢハブ装置３の各コネクター５１ａ、５１ｂをユニット幅方向Ｘの両側から被い、連結板部５７はプリンター２の各コネクター２４ａ〜２４ｆおよびＵＳＢハブ装置３の各コネクター５１ａ、５１ｂを上方および後方から被う。また、コネクターカバー４は、一対の側板部５５のそれぞれの下端縁部分から下方に突出している突起５８を備えている。
【００４４】
各側板部５５の外周縁は、プリンター２のケース背面１５およびＵＳＢハブ装置３の装置ケース背面４１に当接する前端縁部分５５ａと、前端縁部分５５ａの上端から後方に向かって下方に傾斜する上側縁部分５５ｂと、上側縁部分５５ｂの後端から後方に向かって下方に湾曲する上側湾曲縁部分５５ｃと、上側湾曲縁部分５５ｃの下端から下方に向かって僅かに前方に傾斜する後側縁部分５５ｄと、後側縁部分５５ｄの下端から下方に向かって前方に湾曲する下側湾曲縁部分５５ｅと、下側湾曲縁部分５５ｅの前端から前方に向かって延びる下側縁部分５５ｆを備えている。連結板部５７は、ユニット幅方向Ｘに延びて一対の側板部５５のそれぞれの上側縁部分５５ｂに架け渡されている上側連結板部分５７ａと、上側連結板部分５７ａの後端縁に連続して一対の側板部５５のそれぞれの上側湾曲縁部分５５ｃに架け渡されている湾曲連結板部分５７ｂと、湾曲連結板部分５７ｂの下端縁に連続して一対の側板部５５のそれぞれの後側縁部分５５ｄに架け渡されている後側連結板部分５７ｃを備えている。
【００４５】
ここで、コネクターカバー４における上側連結板部分５７ａのユニット幅方向Ｘの中央部分には、前端側から切り欠かれた切欠部５９が設けられており、この切欠部５９は蓋部材６０により塞がれている。すなわち、コネクターカバー４は、図８（ａ）に示すように、一対の側板部５５と連結板部５７と一対の突起５８を備えており、連結板部５７の上側連結板部分５７ａに切欠部５９が形成されたカバー本体６１と、図８（ｂ）に示すように、カバー本体６１に着脱可能に装着されて切欠部５９を塞ぐ蓋部材６０から構成されている。蓋部材６０がカバー本体６１に装着された状態では、図２および図３に示すように、蓋部材６０は上側連結板部分５７ａと一体となって連結板部５７を構成している。
【００４６】
切欠部５９は、上側連結板部分５７ａの前端縁から後方に向って形成された矩形開口５９ａと、矩形開口５９ａの後側に連続する半円形の半円形開口５９ｂから形成されている。なお、切欠部５９は、プリンター２のディスプレイ固定ステイ２７にディスプレイが取り付けられる際に、ディスプレイを支持するディスプレイ支持部材をコネクターカバー４の内側から外側に貫通させるものである。従って、プリンターユニット１にディスプレイが搭載される場合を除いて、切欠部５９は蓋部材６０によって塞がれている。
【００４７】
図８（ａ）に示すように、カバー本体６１は、上側連結板部分５７ａの前端縁部分においてユニット幅方向Ｘで切欠部５９を間に挟んだ両側にカバーフック６２を備えている。カバーフック６２は前方に向かって下方に突出している。各カバーフック６２の基部からは、前方に向かって四角柱形状の位置決め用突起６３が突出している。また、カバー本体６１の一対の側板部５５の内側面には、それぞれコネクターカバー係止部６４が設けられている。コネクターカバー係止部６４は、各側板部５５の内側面と平行な縦板部６４ａと、縦板部の上端縁を各側板部５５に連結している上板部６４ｂと、縦板部の下端縁を各側板部５５に連結している下板部６４ｃを備えている。縦板部６４ａの各側板部５５の側の面には、プリンターフック２６が係止可能な係止部６４ｄが設けられている。
【００４８】
カバー本体６１の上側連結板部分５７ａの下面には、その前端縁部分においてユニット幅方向Ｘで切欠部５９を間に挟んだ両側の位置に蓋部材６０を支持するための一対の第１蓋部材支持部６５が設けられている。各第１蓋部材支持部６５は、上側連結板部分５７ａの下面と所定間隔を開けて対向して後方に延びる支持板部６５ａと支持板部６５ａの切欠部５９とは反対側の端縁と上側連結板部分５７ａを連結している縦板部６５ｂを備えている。また、カバー本体６１の上側連結板部分５７ａの下面の切欠部５９の後方においてユニット幅方向Ｘの中央には突起６６が設けられている。さらに、ユニット幅方向Ｘで突起６６を挟んだ両側には、蓋部材６０を支持する一対の、第２蓋部材支持部６７が設けられている。各第２蓋部材支持部６７は、上側連結板部分５７ａの下面と所定間隔を開けて対向してユニット幅方向Ｘに延びる支持板部６７ａと支持板部６７ａの切欠部５９とは反対側の端縁と上側連結板部分５７ａを連結している縦板部６７ｂを備えている。
【００４９】
図８（ｂ）に示すように蓋部材６０は、切欠部５９に嵌合する嵌合部７０と、嵌合部７０の下端縁からユニット幅方向Ｘおよびユニット前後方向Ｙの後方に突出するフランジ部７１を備えている。フランジ部７１の後端部分には、ユニット幅方向Ｘの中央部分に上下方向に貫通する係止穴７２を備える係止部７３が設けられている。
【００５０】
ここで、蓋部材６０をカバー本体６１に装着する際には、図９（ａ）に示すように、コネクターカバー４の前方から蓋部材６０の嵌合部７０を切欠部５９に挿入する。この際に、蓋部材６０のフランジ部７１の上面を上側連結板部分５７ａの下面に摺接させながら挿入すると、図９（ｂ）に示すように、蓋部材６０の係止部７３の係止穴７２に上側連結板部分５７ａの下面の突起６６が挿入され、フランジ部７１の後端部分が一対の第２蓋部材支持部６７の支持板部６７ａにより下方から支持され、フランジ部７１の前端部分が一対の第１蓋部材支持部６５の支持板部６５ａによって下方から支持される。これにより、蓋部材６０が上側連結板部分５７ａと一体となりコネクターカバー４の連結板部５７を構成する。
【００５１】
（コネクターカバーのプリンターへの装着）
コネクターカバー４をプリンター２に装着する際には、図２に示すように、プリンター２にＵＳＢハブ装置３を装着した状態として、コネクター搭載部５１が設けられているプリンター２およびＵＳＢハブ装置３の後方からコネクターカバー４をプリンター２に接近させる。そして、コネクターカバー４のカバーフック６２をプリンター２のカバー係止部２９に係止させ、コネクターカバー４の位置決め突起６３をプリンター２の位置決め凹部３０に挿入する。これによりコネクターカバー４の上下方向の位置が位置決めされる。また、プリンターフック２６をコネクターカバー４のコネクターカバー係止部６４の内側に挿入して、プリンターフック２６をコネクターカバー係止部６４の係止部６４ｄに係止させる。これによりコネクターカバー４のユニット幅方向Ｘの位置が規制された状態で、コネクターカバー４がプリンター２に装着される。
【００５２】
コネクターカバー４がプリンター２に装着されると、プリンター２のコネクター搭載部２４に搭載されている各コネクター２４ａ〜２４ｆおよびＵＳＢハブ装置３のコネクター搭載部５１に搭載されている各コネクター５１ａ、５１ｂはコネクターカバー４によって覆われた状態となる。また、ＵＳＢハブ装置３から引き出されてプリンター２の電源コネクター２４ａに接続されている電源ケーブル６、ＵＳＢハブ装置３から引き出されてプリンター２のＵＳＢダウンストリームポート２４ｄに接続されているＵＳＢケーブル５、および、ディスプレイ固定ステイ２７は、コネクターカバー４の内側に位置して、コネクターカバー４によって覆われた状態となる。
【００５３】
ここで、コネクターカバー４の下方は開放状態となっているが、コネクターカバー４の下方にはＵＳＢハブ装置３が設置されている設置面があるので、プリンター２のコネクター搭載部２４に搭載されている各コネクター２４ａ〜２４ｆおよびＵＳＢハブ装置３のコネクター搭載部５１に搭載されている各コネクター５１ａ、５１ｂはコネクターカバー４によって覆われた状態となる。
【００５４】
なお、コネクターカバー４が装着された状態で、プリンターユニット１を水平な設置面に設置した場合には、一対の側板部５５から下方に突出している突起５８は当該設置面に当接せず、突起５８の下端と設置面の間に僅かな隙間が形成されるようになっている。従って、プリンターユニット１を水平ではない設置面に設置した場合などに、各突起５８が設置面に当接することにより、コネクターカバー４が変形したり、コネクターカバー４がプリンター２から脱落したりすることを抑制あるいは防止できる。
【００５５】
（制御系）
図１０はプリンターユニット１の制御系を示す概略ブロック図である。図１０に示すように、プリンター２は、外部から所定電圧の直流の電源電力の供給を受ける電源入力部８０と、印刷を行う印刷処理部（印刷部）８１と、印刷処理部８１を駆動制御する演算処理部８２を搭載している。本例においてプリンター２を動作させる直流の電源電力の電圧は２４Ｖである。電源入力部８０は、電源コネクター２４ａを備えており、電源コネクター２４ａを介して外部から供給された電源電力を印刷処理部８１と演算処理部８２に供給する。
【００５６】
印刷処理部８１は、ＣＰＵ、ＲＯＭ、ＲＡＭなどを備える印刷制御部８３を含む構成である。印刷制御部８３の入力にはＵＳＢアップストリームポート８４が接続されている。印刷制御部８３の出力には、印刷ヘッド８５と搬送モーター８６が接続されている。搬送モーター８６は、印刷ヘッド８５を経由する搬送路に沿ってロール紙から繰り出される記録紙を搬送する搬送機構の駆動源である。また、印刷制御部８３の出力にはドロワーキックコネクター２４ｂが接続されている。
【００５７】
演算処理部８２は、パーソナルコンピューターと同様の機能を備えており、ＣＰＵ、ＲＯＭ、ＲＡＭなどを備える中央制御部８８で構成されている。中央制御部８８には、ＲＳ−２３２シリアルインターフェイスコネクターＣコネクター２４ｃ、複数のＵＳＢダウンストリームポート２４ｄ、ＶＧＡコネクター２４ｅ、ネットワークコネクター２４ｆが搭載されている。複数のＵＳＢダウンストリームポート２４ｄのうちの一つのＵＳＢダウンストリームポート２４ｄはプリンター２のコネクター搭載部２４に搭載されておらず、プリンターケース１０内において印刷処理部８１のＵＳＢアップストリームポート８４に接続されている。他のＵＳＢダウンストリームポート２４ｄのうちの一つのＵＳＢダウンストリームポート２４ｄには、ＵＳＢケーブル５を介して、ＵＳＢハブ装置３が接続されている。
【００５８】
中央制御部８８は、ＯＳ（オペレーティングシステム）を動作させるＯＳ実行部８９、印刷処理部８１を駆動制御するプリンタードライバーを動作させるプリンタードライバー実行部９０、ＵＳＢダウンストリームポート２４ｄにＵＳＢハブ装置３を介して接続される周辺機器を駆動制御するデバイスドライバー実行部９１を備えている。
【００５９】
次に、ＵＳＢハブ装置３は、ＵＳＢアップストリームポート９５と、ＵＳＢアップストリームポート９５に接続されたハブ回路９６と、ハブ回路９６に接続された複数のＵＳＢダウンストリームポート５１ｂを備えている。ＵＳＢアップストリームポート９５はプリンター２のＵＳＢダウンストリームポート５１ｂとＵＳＢケーブル５を介して接続されている。ここで、ＵＳＢアップストリームポート９５は装置ケース３５内に配置されているので、ＵＳＢケーブル５は装置ケース３５から引き出されている。なお、ハブ回路９６は周知の構成のものである。
【００６０】
また、ＵＳＢハブ装置３は、外部から所定電圧の直流の電源電力の供給を受ける電源入力部９７と、この電源入力部９７に供給された電源電力を外部に出力する電源出力部９８と、電源入力部９７に供給された電源電力を予め定めた設定電圧の出力電力に変換してＵＳＢダウンストリームポート５１ｂに供給する電力供給部９９を備えている。さらに、ＵＳＢハブ装置３は電力供給部９９の動作モードを省電力モードと動作継続モードのいずれかに設定する動作設定部１００を備えている。ここで、電源出力部９８は装置ケース３５内に配置されているので、電源ケーブル６は装置ケース３５から引き出されている。
【００６１】
電源入力部９７は電源コネクター５１ａを備えており、電源コネクター５１ａにはＡ／Ｃアダプター１０１が接続されている。Ａ／Ｃアダプター１０１は商用の交流電力のアウトレット１０２に接続されている。Ａ／Ｃアダプター１０１は１００Ｖの交流電力を２４Ｖの直流の電源電力に変換して電源入力部９７に供給する。ＵＳＢハブ装置３は２４Ｖの直流の電源電力により動作する。また、電源入力部９７に供給された２４Ｖの直流の電源電力は電源出力部９８から外部に出力可能となる。
【００６２】
ここで、ＵＳＢハブ装置３の電源出力部９８とプリンター２の電源入力部８０は電源ケーブル６を介して接続されている。従って、Ａ／Ｃアダプター１０１を介してＵＳＢハブ装置３の電源入力部９７に供給される直流の電源電力は、ＵＳＢハブ装置３の電源入力部９７から電源出力部９８および電源ケーブル６を介してプリンター２の電源入力部８０にも供給される。
【００６３】
次に、電力供給部９９は、電源電力を出力電力に変換する変換動作を行う変換部１０５を備えている。本例において、変換部１０５は電源入力部９７から供給された２４Ｖの電源電力を１２Ｖ及び５Ｖの出力電力に変換し、ダウンストリームポート５１ｂへ出力する。なお、変換部１０５は設定によって２４Ｖの電源電力を５Ｖの出力電力に変換することも可能である。
【００６４】
また、電力供給部９９は、ＵＳＢアップストリームポート９５への所定電圧のＶＢＵＳ信号の入力を監視しており、ＶＢＵＳ信号に基づいて変換部１０５による変換動作の実行と停止を制御する動作制御部１０６を備えている。動作制御部１０６は、ＶＢＵＳ信号が入力されている場合に変換部１０５に変換動作を行わせ、ＶＢＵＳ信号の入力がない場合に変換部１０５の変換動作を停止させる。動作制御部１０６は、例えば、ＦＥＴを用いたスイッチ回路から構成される。
【００６５】
ここで、プリンター２の電源がオンになるとプリンター２のＵＳＢダウンストリームポート２４ｄには５Ｖ（所定電圧）のＶＢＵＳ信号が供給されるので、ＵＳＢハブ装置３のＵＳＢアップストリームポート９５にＶＢＵＳ信号が入力される。一方、プリンター２の電源がオフになるとプリンター２のＵＳＢダウンストリームポート２４ｄにＶＢＵＳ信号が供給されなくなるので、ＵＳＢハブ装置３のＵＳＢアップストリームポート９５にはＶＢＵＳ信号が入力されなくなる。従って、動作制御部１０６は、プリンター２の電源がオンになると、変換部１０５に変換動作を行わせ、プリンター２の電源がオフになると変換部１０５の変換動作を停止させる。
【００６６】
動作設定部１００は、動作制御部１０６が変換部１０５の変換動作を停止させる停止動作を当該動作制御部１０６に行わせるか否かを設定する。
【００６７】
動作制御部１０６に停止動作を行わせる設定は電力供給部９９の動作モードを省電力モードに設定するものである。省電力モードでは、ＵＳＢハブ装置３のＵＳＢアップストリームポート９５にＶＢＵＳ信号が入力されなくなると、動作制御部１０６が変換部１０５の変換動作を停止させる。従って、プリンター２の電源がオフになると変換部１０５の変換動作が停止し、ＵＳＢダウンストリームポート５１ｂに出力電圧が供給されなくなる。
【００６８】
一方、動作制御部１０６に停止動作を行わせない設定は電力供給部９９の動作モードを動作継続モードに設定するものである。動作継続モードでは、ＵＳＢハブ装置３のＵＳＢアップストリームポート９５にＶＢＵＳ信号が入力されなくなった場合でも、動作制御部１０６による停止動作が行われないので、変換部１０５による変換動作は継続される。従って、プリンター２の電源がオフになっても変換部１０５の変換動作は継続され、ＵＳＢダウンストリームポート５１ｂに出力電圧が供給される。
【００６９】
ここで、動作設定部１００は、コネクター搭載部５１に停止動作を動作制御部１０６に行わせるか否かを切り換えるスライドスイッチ１０７を備えている（図５および図７参照）。従って、スライドスイッチ１０７を手動で操作することにより、省電力モードと動作継続モードを切り換えることができる。
【００７０】
（プリンターユニットの設置および動作）
プリンターユニット１は、ＵＳＢハブ装置３の電源入力部９７にＡ／Ｃアダプター１０１が接続され、ＵＳＢハブ装置３の電源出力部９８とプリンター２の電源入力部８０が電源ケーブル６により接続され、プリンター２のＵＳＢダウンストリームポート２４ｄとＵＳＢハブ装置３のＵＳＢアップストリームポート９５がＵＳＢケーブル５で接続され、Ａ／Ｃアダプター１０１が交流電力のアウトレット１０２に接続された状態で設置される。Ａ／Ｃアダプター１０１から出力される電源電力は、ＵＳＢハブ装置３に供給されるとともに、ＵＳＢハブ装置３を介してプリンター２にも供給される。また、プリンターユニット１の設置に際して、ＵＳＢハブ装置３のＵＳＢダウンストリームポート５１ｂには複数台の周辺機器が接続される。これにより、複数台の周辺機器はＵＳＢハブ装置３を介してプリンター２の演算処理部８２と接続される。
【００７１】
ここで、プリンター２の電源スイッチ２０が操作されてプリンター２の電源がオンになると、プリンター２のＵＳＢダウンストリームポート２４ｄからＶＢＵＳ信号が出力されてＵＳＢハブ装置３のＵＳＢアップストリームポート９５に入力される。これによりＵＳＢハブ装置３の電力供給部９９はＵＳＢハブ装置３に供給されている電源電力を出力電力に変換する変換動作を行い、各ＵＳＢダウンストリームポート５１ｂに出力電力を供給する。出力電力は各ＵＳＢダウンストリームポート５１ｂに接続された各周辺機器に供給される。
【００７２】
その後、プリンター２の電源スイッチ２０が操作されてプリンター２の電源がオフになると、プリンター２のＵＳＢダウンストリームポート２４ｄからＶＢＵＳ信号が出力されなくなるので、ＶＢＵＳ信号がＵＳＢハブ装置３のＵＳＢアップストリームポート９５に入力されなくなる。従って、電力供給部９９の動作モードが省電力モードに設定されている場合には、変換部１０５の変換動作が停止する。これにより、各ＵＳＢダウンストリームポート５１ｂへの出力電力の供給が停止するので、各周辺機器への電力の供給が停止する。省電力モードでは、プリンター２の電源のオンに連動させてＵＳＢハブ装置３の変換部１０５の変換動作を停止できるので、プリンター２の電源がオフにされた後に変換部１０５の変換動作が継続されて電力が消費されてしまうことを防止できる。
【００７３】
一方、電力供給部９９の動作モードが動作継続モードに設定されている場合には、変換部１０５の変換動作が停止しない。従って、各ＵＳＢダウンストリームポート５１ｂへの出力電力の供給は維持され、各周辺機器への電力の供給が継続される。よって、プリンター２の電源がオフとされたときに、ＵＳＢハブ装置３に接続されている周辺機器により行われていた処理動作を継続させることができる。
【００７４】
本例では、ＵＳＢハブ装置３は、その装置側係止部４５がプリンターケース１０に係止された状態でプリンター２に装着されている。これにより、プリンター２とＵＳＢハブ装置３を一体化することができるので、これらが離間している場合と比較して、設置スペースを抑制できる。
【００７５】
また、プリンター２の底面にＵＳＢハブ装置３を装着すれば、ＵＳＢハブ装置３にプリンター２を積載した状態となるので、設置スペースは更に抑制される。
【００７６】
さらに、本例では、プリンターケース１０に予め設けられている複数の通気口のうちの一つの通気口２１にＵＳＢハブ装置３の装置側係止部４５を係止させているので、ＵＳＢハブ装置３を装着するためにプリンターケース１０に新たに係止部を設ける必要がない。
【００７７】
また、本例では、プリンター２に搭載された各コネクター２４ａ〜２４ｆとＵＳＢハブ装置３の各コネクター５１ａ、５１ｂは、これらに接続されるケーブルの着脱方向を同一方向に向けているので、これらの間を接続するケーブルとして短いケーブルを使用でき、このケーブルの引き回しが容易になる。
【００７８】
（その他の実施の形態）
ＵＳＢハブ装置３に替えて、プリンター２に電源電力を供給する電源装置や、プリンター２のダウンストリームポートに接続可能な記憶装置などの接続装置をプリンター２に装着することもできる。
【符号の説明】
【００７９】
１・・プリンターユニット、２・・ロール紙プリンター（プリンター）、３・・ＵＳＢハブ装置、４・・コネクターカバー、５・・ＵＳＢケーブル、６・・電源ケーブル、７・・係止金具、８・・ブラケット、８ａ・・固定部、８ｂ・・第１当接部、８ｃ・・第２当接部、８ｄ・・爪部、１０・・プリンターケース、１０ａ・・プリンターケースの開口縁部分、１１・・ケース上面、１２・・ケース前面、１３・１４・・ケース側面、１５・・ケース背面、１６・・ケース底面、１９・・排紙口、２０・・電源スイッチ、２１・２２・３２・・通気口、２３・・ケース切欠部、２４・・コネクター搭載部、２４ａ・・電源コネクター、２４ｂ・・ドロワーキックコネクター、２４ｃ・・ＲＳ−２３２シリアルインターフェイスコネクター、２４ｅ・・ＶＧＡコネクター、２４ｄ・・ダウンストリームポート、２４ｆ・・ネットワークコネクター、２６・・プリンター側フック、２７・・ディスプレイ固定ステイ、２８・・貫通穴、２９・・カバー係止部、３０・・位置決め凹部、３１・・スリット、３３・・ゴム部材、３５・・装置ケース（機器ケース）、３６・・対向面、３６ａ・・対向面の前端縁、３７・・傾斜面、３７ａ・・傾斜面の先端縁、３８・・装置ケース前面、３９・・装置ケース側面、４０・・装置ケース側面、４１・・装置ケース背面、４２・・装置ケース底面、４５・・装置係止部（係止部）、４５ａ・・固定部分、４５ｂ・・突出部分、４５ｃ・・係止部分、４６・・凹部、４６ｃ・・凹部の底面、４７・・切欠部、４８・・装置ケースのフランジ部、４９・・フランジ部の貫通穴、５１・・コネクター搭載部、５１ａ・・電源コネクター、５１ｂ・・ＵＳＢハブ装置のダウンストリームポート、５３・・ゴム部材、５５・・コネクターカバーの側板部、５７・・連結板部、５７ａ・・上側連結板部分、５７ｂ・・湾曲連結板部分、５７ｃ・・後側連結板部分、５８・・突起、５９・・コネクターカバーの切欠部、５９ａ・・矩形開口、５９ｂ・・半円形開口、６０・・蓋部材、６１・・カバー本体、６２・・カバー側フック、６３・・位置決め用突起、６４・・コネクターカバー係止部、６４ａ・・縦板部、６４ｂ・・上板部、６４ｃ・・下板部、６４ｄ・・係止部、６５・・蓋部材支持部、６５ａ・・支持板部、６５ｂ・・縦板部、６６・・突起、６７・・蓋部材支持部、６７ａ・・支持板部、６７ｂ・・縦板部、７０・・嵌合部、７１・・フランジ部、７２・・係止穴、７３・・係止部、８０・・プリンターの電源入力部、８１・・印刷処理部（印刷部）、８２・・演算処理部、８３・・印刷制御部、８４・・アップストリームポート、８５・・印刷ヘッド、８６・・搬送モーター、８８・・中央制御部、８９・・ＯＳ実行部、９０・・プリンタードライバー実行部、９１・・デバイスドライバー実行部、９５・・アップストリームポート、９６・・ハブ回路、９７・・ＵＳＢハブ装置の電源入力部、９８・・電源出力部、９９・・電力供給部、１００・・動作設定部、１０１・・Ａ／Ｃアダプター、１０２・・アウトレット、１０５・・変換部、１０６・・動作制御部、１０７・・スライドスイッチ、Ｘ・・ユニット幅方向、Ｙ・・ユニット前後方向、Ｚ・・ユニット上下方向
【図１】
2015020376.tif 000003
【図２】
2015020376.tif 000004
【図３】
2015020376.tif 000005
【図４】
2015020376.tif 000006
【図５】
2015020376.tif 000007
【図６】
2015020376.tif 000008
【図７】
2015020376.tif 000009
【図８】
2015020376.tif 000010
【図９】
2015020376.tif 000011
【図１０】
2015020376.tif 000012